(57)【要約】【課題】  広告画面の印刷物の付加価値を高めることを可能にしたデジタル放送受信装置を提供する。【解決手段】  デジタル放送を受信して表示デバイス１４に表示するデジタル放送受信装置において、プリンタ２３と、 各種の操作信号を出力する操作手段１８，２０を備え、操作手段１８，２０による印刷のための操作信号が入力したときに、表示デバイス１４に表示された表示内容と、その表示内容に対応して、デジタル放送に含まれる少なくとも時間情報とを合成してプリンタ２３に印刷させる制御部２５とを備えたものである。【選択図】        図１
2005328121.tif 000002
【特許請求の範囲】
【請求項１】
デジタル放送を受信して表示デバイスに表示するデジタル放送受信装置において、
印刷装置と、
各種の操作信号を出力する操作手段と、
前記操作手段による印刷のための操作信号が入力したときに、前記表示デバイスに表示された表示内容と、その表示内容に対応して、デジタル放送に含まれる少なくとも時間情報とを合成して前記印刷装置に印刷させる制御部と
を備えたことを特徴とするデジタル放送受信装置。
【請求項２】
各種のデータを記憶する記憶手段を備え、
前記制御部は、前記操作部による所定の操作信号が入力したときに、前記表示デバイスに表示された表示内容と、その表示内容に対応して、デジタル放送に含まれる時間情報とを前記記憶手段に記憶させ、前記印刷装置により前記記憶手段に記憶された内容の印刷が終了すると、前記記憶手段の記憶内容を消去することを特徴とする請求項１記載のデジタル放送受信装置。
【発明の詳細な説明】
【技術分野】
【０００１】
本発明はデジタル放送を受信して表示デバイスに表示するデジタル放送受信装置に関し、特に広告画面の印刷に関する。
【背景技術】
【０００２】
地域性が高いイベントを行う場合に、その主催者は、広告、チラシ等によって広報活動を行っている。しかし、そのような広報活動は、宣伝費用のわりには情報の普及率が上がらない、主催者として準備期間と費用負担が大きい、という問題点があった。一方、テレビにプリンタ機能をもたせたものが提案されており、例えば「供給される画像信号に応じた画像を表示するための表示手段と、印刷指示入力を受け付ける受付手段と、前記受付手段を通じて前記印刷指示入力を受け付けたときに、前記表示手段に表示されている画像を形成するフレーム画像データを記憶するメモリと、前記メモリに前記フレーム画像データが記憶されたときに、前記表示手段に対して、前記メモリに記憶されたフレーム画像データにより形成される画像を一定時間表示するようにした後に、供給される前記画像信号に応じた画像の表示に切り換えるようにする表示制御手段と、前記メモリに記憶されたフレーム画像データから印刷用データを形成する印刷用データ形成手段と、前記印刷用データ形成手段により形成された前記印刷用データを出力する印刷用データ出力手段とを備えることを特徴とする画像処理装置。」（例えば特許文献１参照）が提案されており、この方法によれば、放映費用の投資のみで宣伝効果があるという利点がある。
【特許文献１】特開２００３−２１９３５３号公報（請求項１等）
【発明の開示】
【発明が解決しようとする課題】
【０００３】
従来のテレビにプリンタ機能をもたせたもの（特許文献１）は、録画された画像情報の印刷が可能であるため、複製が可能になってしまうという問題点があった。例えば、広告画面を印刷することにより、それを優待券として利用することを可能にした場合には、その広告画面を放映時に見ていなくとも印刷することが可能であり、また、複製が可能であることから、主催者にとって、広告画面の印刷物の付加価値が半減するという問題点があった。
【０００４】
本発明は、このような問題点を解決するためになされたものであり、広告画面の印刷物の付加価値を高めることを可能にしたデジタル放送受信装置を提供することを目的とする。
【課題を解決するための手段】
【０００５】
本発明に係るデジタル放送受信装置は、デジタル放送を受信して表示デバイスに表示するデジタル放送受信装置において、印刷装置と、 各種の操作信号を出力する操作手段と、前記操作手段による印刷のための操作信号が入力したときに、前記表示デバイスに表示された表示内容と、その表示内容に対応して、デジタル放送に含まれる少なくとも時間情報とを合成して前記印刷装置に印刷させる制御部とを備えたものである。表示デバイスに表示された表示内容と、そのときの時間情報とを合成して印刷装置に印刷させるようにしたので、録画された映像情報の印刷との区別ができ、例えば、広告画面を印刷することにより、それを優待券として利用することを可能にした場合には、その広告画面を放映時に見ていないと印刷することができず、広告主にとって、広告画面の印刷物の付加価値を高めることができる。
【０００６】
本発明に係るデジタル放送受信装置は、各種のデータを記憶する記憶手段を備え、前記制御部は、前記操作手段による所定の操作信号が入力したときに、前記表示部に表示された表示内容と、その表示内容に対応して、デジタル放送に含まれる時間情報とを前記記憶手段に記憶させ、前記印刷装置により前記記憶手段に記憶された内容の印刷が終了すると、前記記憶手段の記憶内容を消去する。前記印刷装置による印刷が終了すると、前記記憶手段の記憶内容を消去するので、複製に制約がかかる、という効果がある。
【発明を実施するための最良の形態】
【０００７】
実施形態１．
図１は本発明の実施形態１に係るデジタル放送受信装置の構成を示すブロック図である。このデジタル放送受信装置１は、アンテナ１０、チューナー１１、デマルチプレクサ１２、映像信号処理回路１３、表示デバイス１４、音声信号処理回路１５、アンプ１６、スピーカー１７、操作部１８、インターフェース（ＩＦ）１９、リモコンキー２０、受信部２１、ＵＳＢインターフェース（ＵＳＢＩＦ）２２、プリンタ（印刷装置）２３、ユーザーメモリ２４、及び制御部２５を備えている。そして、チューナー１１、デマルチプレサ１２、映像信号処理回路１３、音声信号処理回路１５、インターフェース１９、受信部２１、ＵＳＢインターフェース２２、ユーザーメモリ２４及び制御部２５はバス２６を介して接続されており、制御部２５により回路全体が制御されている。制御部２５は、ＣＰＵ２５１、ＣＰＵ２５１が実行すべきプログラムや固定データなどが書き込まれたＲＯＭ２５２及びＣＰＵ２５１のワークエリアなどとして機能するＲＡＭ２５３によって構成されている。なお、操作部１８及びリモコンキー２０は本発明の操作手段に相当するものであり、通常のテレビのキーの他に、フリーズキー及び印刷キー（何れも図示せず）が設けられているものとする。
【０００８】
図１のデジタル放送受信装置１において、利用者が操作部１８又はリモコンキー２０を操作して見たいチャンネルを選択すると、そのチャンネルに相当する選局信号を発生し、制御部２５はその選局信号をインターフェース１９又は受信部２１及びバス２６を介して受信し、制御部２５がその選局信号に基づいてチューナー１１に選局信号を出力することによりチューナー１１にそのチャンネルが設定される。アンテナ１０は周波数変換器を備えており、例えばＣＳ（Ｃｏｍｍｕｎｉｃａｔｉｏｎ  Ｓａｔｅｌｌｉｔｅ）から送られてくるディジタル放送信号を受信して、周波数変換した信号をチューナー１１に出力する。チューナー１１は、復調回路、逆インタリーブ回路、誤り訂正回路等を備えており、映像・音声データを含む高周波ディジタル変調信号のうちから、上記にて設定されたチャンネルに相当する特定周波数の信号を取り出す処理をする。すなわち、ディジタル放送の複数のトランスポンダのなかから一つを選択する処理を行う。デマルチプレクサ（ＤＥＭＵＸ）１２は、チューナー１１により選択されたトランスポート・ストリームを、ＭＰＥＧ２（Ｍｏｖｉｎｇ Ｐｉｃｔｕｒｅ Ｅｘｐｅｒｔｓ Ｇｒｏｕｐ２）のビデオストリーム、オーディオストリーム、及びＰＳＩ／ＳＩ（Ｐｒｏｇｒａｍ Ｓｐｅｃｉｆｉｃ Ｉｎｆｏｒｍａｔｉｏｎ／Ｓｅｒｖｉｃｅ Ｉｎｆｏｒｍａｔｉｏｎ）等に分離し、ビデオストリームは映像信号処理回路１３に出力し、オーディオストリームは音声信号処理回路１５に出力し、ＰＳＩ／ＳＩは例えばバス２６を介して制御部２５に出力する。映像信号処理回路１３はそのビデオストリームを信号処理して表示デバイス１４に映像を表示させる。音声信号処理回路１５はそのオーディオストリームを信号処理してＤ／Ａ変換し、アンプ１６を介してスピーカー１７に出力して音声を発生させる。また、制御部２５はＰＳＩ／ＳＩ（特にＳＩに含まれる時間情報）をそのＲＡＭ２５３に格納する。
【０００９】
表示デバイス１４に映像が表示されている状態で、例えばフリーズキーが操作されると、制御部２５はそのキー信号をインターフェース１９又は受信部２１を介して取り込んで解読し、そのときに表示デバイス１４に表示されている映像のデータ（フレーム画像）をユーザーメモリ２４に格納するとともに、そのときのＳＩ（Ｓｅｒｖｉｃｅ Ｉｎｆｏｒｍａｔｉｏｎ）に含まれている時間情報をユーザーメモリ２４に格納する。また、このとき、ユーザーメモリ２４に格納された映像のデータ（フレーム画像）を読み出して映像信号処理回路１３に出力して、表示デバイス１４の画面の隅に小画面として表示させる。また、印刷キーが操作されると、制御部２５はその印刷キーのキー信号をインターフェース１９又は受信部２１を介して取り込んで解読し、ユーザーメモリ２４に格納されている映像のデータ（フレーム画像）及び時間情報を読み出して合成しＵＳＢインターフェース２２を介してプリンタ２３に出力する。プリンタ２３は合成された画像データ及び時間情報を印刷処理する。
【００１０】
図２は図１のデジタル放送受信装置の印刷処理の処理過程を示したフローチャートである。制御部２５はフリーズキーが操作されたかどうかを判断し（Ｓ１１）、フリーズボタンが操作されたと判断した場合には、そのときに表示デバイス１４に表示されている映像のデータ（フレーム画像）をユーザーメモリ２４に格納するとともに、そのときのＳＩ（Ｓｅｒｖｉｃｅ Ｉｎｆｏｒｍａｔｉｏｎ）に含まれている時間情報をユーザーメモリ２４に格納する（Ｓ１２）。そして、所定時間内に印刷キーが操作されると（Ｓ１３）、制御部２５はユーザーメモリ２４に格納されている映像のデータ（フレーム画像）及び時間情報を読み出して合成しＵＳＢインターフェース２２を介してプリンタ２３に出力する。プリンタ２３は合成された映像のデータ及び時間情報を印刷処理する（Ｓ１４）。印刷処理が終わった後又は所定時間内に印刷キーが操作されなかった場合には、制御部２５はユーザーメモリ２４に格納された映像のデータ及び時間情報を消去する（Ｓ１５）。
【００１１】
図３は図２の処理を利用者の側から概念的に示した説明図である。ここでは、例えばデジタル放送内容として、コマーシャルの時間帯にイベントの開催を放送し、この広告画面（広告映像）を印刷するとイベントの招待券（又は優待券、割引券等）として使用することができる旨を放送によって案内し、付加価値のある広告画面の印刷を促すものとする。利用者がそれを視聴して、上述のように、フリーズキー及び印刷キーを操作すると、プリンタ２３により印刷写真３０が得られる。この印刷写真３０には広告画面だけでなく、そのときの時間情報として、年月日及び時刻情報も併せて印刷される。なお、この印刷に際しては、イベント開催日、要綱等をテキスト情報（提供者と放送局とが合意の上に配信される情報）として上記のＳＩに含ませておいて、それらも併せて印刷するようにしてもよい。
【００１２】
以上のように、本実施形態１においては、印刷写真３０には広告画面だけでなく、そのときの時間情報も併せて印刷するようにしたので、録画によって印刷されたものとの区別が明確になり、印刷写真３０はそのタイミングで広告画面を見ていた者により印刷されたものであると推定され（録画した場合には時間情報は録画情報に含まれない）、イベントの主催者にとってその付加価値を高めるさせることができる。また、印刷処理が終わった後又は所定時間内に印刷キーが操作されなかった場合には、制御部２５がユーザーメモリ２４に格納された映像のデータ及び時間情報を消去するようにしたので、その複製に制約を加えることができる。また、イベントの主催者にとっては、新聞の折り込み広告に代えることができる。利用者にとっても上記のような利点があることから（例えば招待券、優待券、割引券等）、プリンタの購入の促進につながり、プリンタのメーカーにとっては生産の拡大につながる。
【図面の簡単な説明】
【００１３】
【図１】本発明の実施形態１に係るデジタル放送受信装置の構成を示すブロック図。
【図２】デジタル放送受信装置の印刷処理の処理過程を示したフローチャート。
【図３】図２の処理を利用者の側から概念的に示した説明図。
【符号の説明】
【００１４】
１ デジタル放送受信装置、１０ アンテナ、１１ チューナー、１２ デマルチプレサ、１３ 映像信号処理回路、１４ 表示デバイス、１５ 音声信号処理回路、１６ アンプ、
１７ スピーカー、１８ 操作部、１９ インターフェース、２０ リモコンキー、２１ 受信部、２２ ＵＳＢインターフェース、２３ プリンタ、２４ ユーザーメモリ、２５ 制御部、２６ バス。
【図１】
2005328121.tif 000003
【図２】
2005328121.tif 000004
【図３】
2005328121.tif 000005